(57)【要約】      （修正有）【課題】タブレットコンピュータの長時間のハンドヘルドに適合し、タブレットコンピュータを収納する時に、該可動サポートフレームを水平状態とすることができて、収納に利用できるタブレットコンピュータのハンドヘルド装置を提供する。【解決手段】本タブレットコンピュータのハンドヘルド装置は、保持部品１、回転部３、二つの可動サポートフレーム２を包含し、該保持部品は少なくとも二つの爪部１３を利用してタブレットコンピュータ周縁を挟持し、且つ該保持部品内に収容部１１があり、該回転部は該保持部品の収容部中に設置されて、該収容部中で時計回り及び反時計回りに回転でき、該二つの可動サポートフレームは、複数の固定部品３１により該回転部上に設置され、該二つの可動サポートフレームは該回転部上で垂直及び水平方向の揺動が可能である。【選択図】図１
0003170234.tif 000002
【実用新案登録請求の範囲】
【請求項１】
タブレットコンピュータのハンドヘルド装置において、
保持部品であって、少なくとも二つの爪部を利用してタブレットコンピュータの周縁を挟持し、且つ該保持部品内に収容部が設けられた、上記保持部品と、
回転部であって、該保持部品の収容部中に設置され、該収容部中に時計回り及び逆時計回りの方向に回転可能である、上記回転部と、
二つの可動サポートフレームであって、複数の固定部品により該回転部上に設置され、該二つの可動サポートフレームは該回転部上で垂直及び水平方向の揺動が可能である、上記二つの可動サポートフレームと、
を包含したことを特徴とする、タブレットコンピュータのハンドヘルド装置。
【請求項２】
請求項１記載のタブレットコンピュータのハンドヘルド装置において、該保持部品に四つの爪部が設置されたことを特徴とする、タブレットコンピュータのハンドヘルド装置。
【請求項３】
請求項１記載のタブレットコンピュータのハンドヘルド装置において、該保持部品に二つの孔が設けられて、該二つの可動サポートフレームの水平設置の空間が提供されたことを特徴とする、タブレットコンピュータのハンドヘルド装置。
【請求項４】
請求項１記載のタブレットコンピュータのハンドヘルド装置において、該保持部品に二つの孔が設けられて、該保持部品に凹溝が設けられ、且つ該回転部に該凹溝に対応するフランジが設けられ、該凹溝と該フランジが結合され、該保持部品と該回転部が結合する時に回転可能な機能を発生することを特徴とする、タブレットコンピュータのハンドヘルド装置。
【請求項５】
請求項１記載のタブレットコンピュータのハンドヘルド装置において、該回転部に固定ブロックが設けられ、該固定ブロックに該固定部品が通されることを特徴とする、タブレットコンピュータのハンドヘルド装置。
【請求項６】
請求項１記載のタブレットコンピュータのハンドヘルド装置において、該二つの可動サポートフレームは挟持部が設置されて、該挟持部が手指による挟持に供されることを特徴とする、タブレットコンピュータのハンドヘルド装置。
【請求項７】
請求項１記載のタブレットコンピュータのハンドヘルド装置において、該爪部の内側にパッドが設けられたことを特徴とする、タブレットコンピュータのハンドヘルド装置。
【考案の詳細な説明】
【技術分野】
【０００１】
本考案はタブレットコンピュータのハンドヘルド装置に係り、特に、タブレットコンピュータの背面を挟持固定し、手指で挟持できる可動サポートフレームが設けられたことにより、タブレットコンピュータを手で支える時に、多くの施力可能な点を有し、ゆえにタブレットコンピュータの長時間の保持に適合し、タブレットコンピュータを収納する必要がある時、該可動サポートフレームを水平状態にでき、収納できるものに関する。
【背景技術】
【０００２】
電子製品はいずれも軽薄短小の目標に向けて発展し、電子製品が簡単に携行できるようになり、モバイル化及び便利化の目的を達成している。タッチコントロール技術の進歩により、タブレットコンピュータは急速に発展し、キーボードが省略されたことで、タブレットコンピュータの体積はノートブック型コンピュータのただ半分となり、このため、タブレットコンピュータはノートブック型コンピュータの一部市場を奪い、電子消費市場の新たな寵児となっている。
【０００３】
現在、タブレットコンピュータの主流の規格は約１０インチであり、重量は１０００グラム以下であるが、タブレットコンピュータの体積はパームヘルドを超えているため、ハンドヘルドが比較的常用のスタイルとされている。しかし、ハンドヘルド方式は長く使用すると、人体工学に符合しないために重く感じられ、ノートブック型コンピュータのように長く保持することは難しい。このほか、タブレットコンピュータはデジタルフォトフレーム或いは映画再生装置に適合するが、もしタブレットコンピュータを直接卓上に平置きすると、使用者にとってはみづらい。以上はいずれもタブレットコンピュータが遭遇しやすい問題であり、当業者による解決が待たれている。
【考案の概要】
【考案が解決しようとする課題】
【０００４】
上述の周知の技術の欠点を解決するため、本考案はタブレットコンピュータのハンドヘルド装置を提供する。本考案の主要な目的は、一種のハンドヘルド装置を設計することにあり、該ハンドヘルド装置はタブレットコンピュータの背面を挟持し、該ハンドヘルド装置には手指で挟持できる可動サポートフレームが設計されて、該タブレットコンピュータをハンドヘルドする時に施力の点を増やし、ゆえにタブレットコンピュータの長時間のハンドヘルドに適合し、タブレットコンピュータを収納する時に、該可動サポートフレームを水平状態とすることができて、収納に利用できるものとする。
【０００５】
本考案の別の目的は、ハンドヘルド装置を卓上に置くときに、該可動サポートフレームが傾斜放置する支持点とされ得て、且つ該可動サポートフレームは回転部上に置かれ、タブレットコンピュータを水平或いは垂直方向のいずれにおいても、いずれもある角度に傾斜するように調整して置ける機能を達成し、使用者が長時間タブレットコンピュータのスクリーンを観られるようにすることにある。
【課題を解決するための手段】
【０００６】
上述の目的を達成するため、タブレットコンピュータのハンドヘルド装置は、
保持部品であって、少なくとも二つの爪部を利用してタブレットコンピュータの周縁を挟持し、且つ該保持部品内に収容部が設けられた、上記保持部品と、
回転部であって、該保持部品の収容部中に設置され、該収容部中に時計回り及び逆時計回りの方向に回転可能である、上記回転部と、
二つの可動サポートフレームであって、複数の固定部品により該回転部上に設置され、該二つの可動サポートフレームは該回転部上で垂直及び水平方向の揺動が可能である、上記二つの可動サポートフレームと、
を包含する。
【０００７】
好ましくは、該保持部品に四つの爪部が設置される。
【０００８】
好ましくは、該保持部品に二つの孔が設けられて、該二つの可動サポートフレームの水平設置の空間が提供される。
【０００９】
好ましくは、該保持部品に凹溝が設けられ、且つ該回転部に該凹溝に対応するフランジが設けられ、該凹溝と該フランジが結合され、該保持部品と該回転部が結合する時に回転可能な機能を発生する。
【００１０】
好ましくは、該回転部に固定ブロックが設けられ、該固定ブロックに該固定部品が通される。
【００１１】
好ましくは、該二つの可動サポートフレームは挟持部が設置されて、手指による挟持に供される。
【００１２】
好ましくは、該爪部の内側にパッドが設けられる。
【考案の効果】
【００１３】
本考案は周知の技術の欠点を解決するタブレットコンピュータのハンドヘルド装置を提供する。本考案のタブレットコンピュータのハンドヘルド装置はタブレットコンピュータの背面を挟持し、該ハンドヘルド装置には手指で挟持できる可動サポートフレームが設計されて、該タブレットコンピュータをハンドヘルドする時に施力の点を増やし、ゆえにタブレットコンピュータの長時間のハンドヘルドに適合し、タブレットコンピュータを収納する時に、該可動サポートフレームを水平状態とすることができて、収納に利用できる。
【００１４】
本考案のハンドヘルド装置は卓上に置くときに、該可動サポートフレームが傾斜放置する支持点とされ得て、且つ該可動サポートフレームは回転部上に置かれ、タブレットコンピュータを水平或いは垂直方向のいずれにおいても、いずれもある角度に傾斜するように調整して置ける機能を達成し、使用者が長時間タブレットコンピュータのスクリーンを観られるようにする。
【図面の簡単な説明】
【００１５】
【図１】本考案の立体分解図である。
【図２】本考案の回転部と可動サポートフレームの組立後の実施構造図である。
【図３】本考案のハンドヘルド装置とタブレットコンピュータの結合後の第１構造表示図である。
【図４】本考案のハンドヘルド装置とタブレットコンピュータの結合後の第２構造表示図である。
【考案を実施するための形態】
【００１６】
本考案の技術内容、構造特徴、達成する目的を詳細に説明するため、以下に実施例を挙げ並びに図面を組み合わせて説明する。
【００１７】
図１、２は本考案のタブレットコンピュータのハンドヘルド装置の立体分解図及び回転部と可動サポートフレームの組立後の実施構造図である。そのうち、保持部品１は、収容部１１、二つの孔１２、四つの爪部１３、凹溝１４及びパッド１５を包含する。二つの可動サポートフレーム２それぞれに、挟持部２１及び若干のピン孔２２が設けられている。回転部３は複数の固定部品３１、複数のピン孔３２、固定ブロック３３及びフランジ３４を包含する。
【００１８】
組立時、可動サポートフレーム２が回転部３上に置かれ、複数の固定部品３１が回転部３のピン孔３２と二つの可動サポートフレーム２のピン孔２２に通され、且つ回転部３にさらに固定ブロック３３が設置されて、これら固定部品がそのなかに通され、回転部３と可動サポートフレーム２の固定状態が形成され（図２のとおり）、可動サポートフレーム２が回転部３上で垂直と水平方向の揺動可能とされ、該保持部品１に設置された二つの孔１２が二つの可動サポートフレーム２の水平設置の空間を提供する。さらに、該保持部品の凹溝に、該凹溝に対応する回転部３のフランジ３４が結合され、これにより該保持部品と該回転部が結合された後に、回転可能な機能が発生し、該収容部中で時計回り及び逆時計回りに該回転部が回転し、且つ該二つの可動サポートフレーム２にさらに挟持部２１が設置されて、手指での挟持に供され、以上により本考案の構造が形成される。
【００１９】
図３、４は本考案のハンドヘルド装置とタブレットコンピュータの結合後の第１、第２構造図である。そのうち、ハンドヘルド装置はタブレットコンピュータ４の背面を挟持するように固定され、ハンドヘルド装置には手指で挟持できる可動サポートフレーム２が設計されているため、タブレットコンピュータ４をハンドヘルドする時に、多数の施力点が提供されて、タブレットコンピュータ４の長時間ハンドヘルドに適合する。
【００２０】
タブレットコンピュータ４を収納した時は、該可動サポートフレーム２を水平状態とすれば、収納できる。ハンドヘルド装置を卓上に置く時、その可動サポートフレーム２は傾斜設置の支持点とされ、且つ可動サポートフレーム２は回転部３上に置かれているため、タブレットコンピュータ４を水平或いは垂直方向のいずれにおいても、角度調整可能な機能を達成でき、使用者が長時間タブレットコンピュータ４のスクリーンを観るのに有利である。
【００２１】
以上述べたことは、本考案の実施例にすぎず、本考案の実施の範囲を限定するものではなく、本考案の権利請求の範囲に基づきなし得る同等の変化と修飾は、いずれも本考案の権利のカバーする範囲内に属するものとする。
【００２２】
総合すると、本考案の構造特徴及び各実施例はいずれもすでに詳細に開示され、十分に本考案の目的及び機能上、いずれも深い実施上の進歩性を有し、産業上の利用価値を有することが表示され、且つ本考案はいまだ市場において運用が見受けられず、特許法の精神の記載により、本考案は完全に実用新案登録の要件に符合する。
【符号の説明】
【００２３】
１  保持部品
１１  収容部
１２  孔
１３  爪部
１４  凹溝
１５  パッド
２  可動サポートフレーム
２１  挟持部
２２  ピン孔
３  回転部
３１  固定部品
３２  ピン孔
３３  固定ブロック
３４  フランジ
４  タブレットコンピュータ
【図１】
0003170234.tif 000003
【図２】
0003170234.tif 000004
【図３】
0003170234.tif 000005
【図４】
0003170234.tif 000006